(57)【特許請求の範囲】
【請求項１】
環状の芯体（３）の内側に多数の網目状の通気孔（６）を有するネット体（５）を張設して盤状の遊具本体（７）が構成されており、
芯体（３）は、鋼材又は合成樹脂により構成した細い帯板状の弾性線材を環状に弾性変形してなり、
ネット体（５）の中央部に、厚み方向の両側に突出したペットが噛むことが可能な軟質突出体（１１）が設けられていることを特徴とする盤状飛行遊具。
【請求項２】
環状の芯体（３）の内側に多数の網目状の通気孔（６）を有するネット体（５）を張設して盤状の遊具本体（７）が構成されており、
ネット体（５）の中央部に、厚み方向の両側に突出したペットが噛むことが可能な軟質突出体（１１）が設けられていることを特徴とする盤状飛行遊具。
【請求項３】
ネット体（５）は、多数の網目を有する弾性のある布材又は合成樹脂シートで円形に形成され、その外周部に保持筒部（９）が形成されており、この保持筒部（９）に芯体（３）を挿通保持することによりネット体（５）が芯体（３）に張設されていることを特徴とする請求項１又は２に記載の盤状飛行遊具。
【発明の詳細な説明】
【技術分野】
【０００１】
本発明は、犬等を遊ばせるための盤状飛行遊具に関するものである。
【背景技術】
【０００２】
従来、犬等を遊ばせるためのフライングディスク型の盤状飛行遊具には、飛行遊具本体を硬質の合成樹脂で円盤状に形成したものがある（例えば特許文献１、２）。
【先行技術文献】
【特許文献】
【０００３】
【特許文献１】実用新案登録第３１１５０１６号公報
【特許文献２】特開２００４−２６７７２５号公報
【発明の概要】
【発明が解決しようとする課題】
【０００４】
しかし、従来の場合、遊具本体が硬質の合成樹脂で円盤状に形成されていたので、盤状飛行遊具を投げた際に速い速度で飛行するばかりではなく、遊具本体の内側には通気孔がなくて遊具本体の内側を空気が上下方向に通過することができないため、飛行する際に遊具本体の上下動によって大きな空気抵抗を受け、このため遊具本体が水平状態から簡単に傾斜し、直ぐに大きく傾斜した状態で飛行するようになり、このため、室内でゆっくりと水平状態で飛行させて遊ぶことが困難であり、また、中小型犬や幼犬又は幼児には飛行中の盤状飛行遊具を上手くキャッチすることができなくなり、中小型犬や幼犬又は幼児にとって面白みにかけるという問題があった。
【０００５】
本発明は上記問題点に鑑み、投げて飛行する際に水平状態のままでゆっくりと飛行させることができ、中小型犬や幼犬又は幼児でも飛行中の盤状飛行遊具を上手くキャッチすることができて、室内でも十分に遊ぶことができる盤状飛行遊具を提供することを目的としている。
【課題を解決するための手段】
【０００６】
本発明における課題解決のための具体的手段は、次の通りである。
この技術的課題を解決する本発明の技術的手段は、環状の芯体３の内側に多数の網目状の通気孔６を有するネット体５を張設して盤状の遊具本体７が構成されており、芯体３は、鋼材又は合成樹脂等により構成した細い帯板状の弾性線材を環状に弾性変形してなり、ネット体５の中央部に、厚み方向の両側に突出したペットが噛むことが可能な軟質突出体１１が設けられている点にある。
また、本発明の他の技術的手段は、環状の芯体３の内側に多数の網目状の通気孔６を有するネット体５を張設して盤状の遊具本体７が構成されており、ネット体５の中央部に、厚み方向の両側に突出したペットが噛むことが可能な軟質突出体１１が設けられている点にある。
【０００７】
また、本発明の他の技術的手段は、ネット体５は、多数の網目を有する弾性のある布材や合成樹脂シートで円形に形成され、その外周部に保持筒部９が形成されており、この保持筒部９に芯体３を挿通保持することによりネット体５が芯体３に張設されている点にある。
【発明の効果】
【０００８】
本発明によれば、芯体によってネット体乃至遊具本体を盤状に保形することができて、盤状飛行遊具を簡単な構成で軽量に構成することができるので、投げることにより比較的遅い速度で飛行させることが可能になるし、遊具本体の内側には多数の網目状の通気孔を有するため、遊具本体の内側を空気が上下方向に通過することができ、飛行する際に遊具本体の上下動によって大きな空気抵抗を受けずに済み、このため遊具本体が水平状態から傾斜することが少なくなり、水平状態のままでゆっくりした速度で飛行させることができる。
【０００９】
従って、中小型犬や幼犬又は幼児でも飛行中の盤状飛行遊具を上手くキャッチすることができるようになり、中小型犬や幼犬又は幼児にとっても楽しく遊ぶことができるし、室内でも十分に遊ぶことが可能になる。
【図面の簡単な説明】
【００１０】
【図１】本発明の一実施形態を示す盤状飛行遊具の平面図である。
【図２】同図１のＡ−Ａ線断面図である。
【発明を実施するための形態】
【００１１】
以下、本発明の実施の形態を図面に基づいて説明する。
図１及び図２は本発明の一実施形態を示している。図１及び図２において、盤状飛行遊具１は、環状の芯体３の内側にネット体５を張設してなる円盤状の遊具本体７を備えている。
遊具本体７の直径Ｒは、例えば大きいサイズのもので１８０ｍｍ程度に設定され、小さいサイズのもので１２０ｍｍ程度に設定されている。遊具本体７の厚みＤは例えば２．７５ｍｍ程度に設定されている。
【００１２】
芯体３は、鋼材又は合成樹脂等により構成した細い帯板状の弾性線材を環状に弾性変形してなる。
ネット体５は、多数の網目を有する弾性のある布材や塩化ビニル等の合成樹脂シートで円形に形成されており、多数の網目状の通気孔６を有している。ネット体５の外周部に保持筒部９が全周に亘って形成されている。
【００１３】
保持筒部９は帯状の布材を折り返してその折り返し端部間でネット体５の外周部を挟んで縫着８してなり、この保持筒部９に芯体３を挿通保持することにより、ネット体５が芯体３の内側に張設されている。保持筒部９の幅Ｗは例えば１０ｍｍ程度に設定されている。
ネット体５の中央部に、厚み方向の両側に突出したペットが噛むことが可能な軟質突出体１１が設けられている。軟質突出体１１は、ネット体５の厚み方向の両側にそれぞれあって、柔軟で可撓性を有する布材等により構成されており、ネット体５の外面に沿う一対の取付部１３と一対の取付部１３間にあってネット体５から突出した環状突部１４とを有し、一対の取付部１３がその内端縁同士が近接又は当接した状態でネット体５に縫着又は接着剤による接着により固着され、環状突部１４がネット体５の厚み方向に外方突出されている。
【００１４】
上記実施形態によれば、盤状飛行遊具１で遊ぶ場合、例えば遊具本体７の外周部を手で持って水平方向に回転を効かせながら投げることにより、盤状飛行遊具１を飛行させることができる。
この際に、芯体３によってネット体５乃至遊具本体７を円盤状に確実に保形することができて、盤状飛行遊具１を簡単な構成で軽量に構成することができるので、投げることにより比較的遅い速度で飛行させることが可能になるし、遊具本体７の内側には多数の網目状の通気孔６を有するため、遊具本体７の内側を空気が上下方向に通過することができ、飛行する際に遊具本体７の上下動によって大きな空気抵抗を受けなくなり、このため遊具本体７が水平状態から傾斜することが少なくなり、水平状態のままでゆっくりした速度で飛行することができる。
【００１５】
従って、中小型犬や幼犬又は幼児でも飛行中の盤状飛行遊具１を上手くキャッチすることができるようになり、中小型犬や幼犬又は幼児にとっても楽しく遊ぶことができるし、室内でも十分に遊ぶことが可能になる。しかも、盤状飛行遊具１を簡単な構造になすことができて、製造容易でかつ安価に製造することができるようになる。
また、ネット体５の中央部に軟質突出体１１があるので、中小型犬や幼犬等のペットが軟質突出体１１を咥えて運んだり遊んだりすることができて、中小型犬や幼犬等でも非常に興味を持って遊ぶことができる。
【００１６】
また、芯体３は、鋼材又は合成樹脂等により構成した細い帯板状の弾性線材を環状に弾性変形してなるので、環状の芯体３を弾性線材によって簡単かつ頑丈に構成することが可能になり、しかも、環状の芯体３は弾力性を有し、室内の壁や家具等に衝当しても、盤状飛行戯具が損傷したり、室内の壁や家具等を損傷したりするおそれもない。
また、ネット体５の外周部に保持筒部９が形成されており、この保持筒部９に芯体３を挿通保持することによりネット体５が芯体３に張設されているので、簡単な構成でネット体５を環状の芯体３の内側に張設することができ、この点からも遊具本体７を頑丈でかつ軽量に構成することができる。
【００１７】
なお、前記実施形態では、芯体３は、鋼材又は合成樹脂等により構成した細い帯板状の弾性線材を環状に弾性変形してなるが、これに代え、芯体３を針金や竹材等で環状に形成してもよい。
また、前記実施形態では、ネット体５は、多数の網目を有する弾性のある布材や合成樹脂シートで円形に形成されているが、これに代え、ネット体５を糸や紐やピアノ線等をネット状に編んで構成してもよい。
【００１８】
また、前記実施形態では、保持筒部９は帯状の布材を折り返してその折り返し端部間でネット体５の外周部を挟んで縫着８してなるが、これに代え、ネット体５の外周部を折り返してその折り返し端部を縫着して保持筒部９を形成するようにしてもよい。
また、前記実施形態では、盤状飛行遊具１の遊具本体７は円盤状に形成されているが、これに代え、芯体３を四角形状又は三角形状の環状に形成して、盤状飛行遊具１の遊具本体７を四角盤状又は三角盤状その他の盤状に形成するようにしてもよい。
【符号の説明】
【００１９】
１      盤状飛行遊具
３      芯体
５      ネット体
６      通気孔
７      遊具本体
９      保持筒部
１１    軟質突出体
【図１】
0006382011.tif 000002
【図２】
0006382011.tif 000003